【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  送信器と受信器がそれぞれ暗号方式の安全能力を有するパケットデータ通信システムにおける暗号-同期を達成するための方法において、
送信器で予定されたレートでデータフレームを発生させ、
前記予定されたレートで状態ベクトルを増加し、
前記状態ベクトルを暗号化モジュールに供給し、
少なくとも前記状態ベクトルを使用して前記暗号化モジュールからコードブックを発生させ、前記コードブックは前記データフレームの少なくとも１つを暗号化するためにあり、
前記データフレームの送信における遅れを検出し、
前記フレームの１つ以上を落とし、
落とされた前記データフレームの各々について増加することから前記状態ベクトルをディスエイブルし、前記データフレームの１つ以上を落とすことが、
通信チャネル待ち時間を決定し、
前記通信チャネル待ち時間に従って前記データフレームを可変レートで落とし、
前記データフレームを可変レートで落とすことが、
前記通信チャンネル待ち時間が少なくとも１つの予定された閾値以下になるとき前記レートを減少させ、
前記通信チャンネル待ち時間が少なくとも１つの他の予定された閾値を越えるとき前記レートを増加させることを含む方法。
【請求項２】  送信器と受信器がそれぞれ暗号方式の安全能力を有するパケットデータ通信システムにおける暗号-同期を達成するための方法において、
送信器において予定のレートでデータフレームを発生させ、
前記予定されたレートで状態ベクトルを増加し、
前記状態ベクトルを暗号化モジュールに供給し、
少なくとも前記状態ベクトルを使用して前記暗号化モジュールからコードブックを発生させ、前記コードブックは前記データフレームの少なくとも１つを暗号化するためにあり、
前記データフレームの送信における遅れを検出し、
前記フレームの１つ以上を落とし、
落とされた前記データフレームの各々について増加することから前記状態ベクトルをディスエイブルし、
前記データフレームを落とすことが、
通信チャネル待ち時間を決定し、
前記通信チャンネル待ち時間が予定された閾値以下になるとき、第１の予定された固定レートで前記データフレームを落とし、
前記通信チャンネル待ち時間が前記予定された閾値を越えるとき、第２の予定された固定レートで前記データフレームを落とすことを含む方法。
【請求項３】  送信器と受信器がそれぞれ暗号方式の安全能力を有するパケットデータ通信システムにおける暗号-同期を達成するための方法において、
送信器において予定のレートでデータフレームを発生させ、
前記予定されたレートで状態ベクトルを増加し、
前記状態ベクトルを暗号化モジュールに供給し、
少なくとも前記状態ベクトルを使用して前記暗号化モジュールからコードブックを発生させ、前記コードブックは前記データフレームの少なくとも１つを暗号化するためにあり、
前記データフレームの送信における遅れを検出し、
前記フレームの１つ以上を落とし、
落とされた前記データフレームの各々について増加することから前記状態ベクトルをディスエイブルし、
前記データフレームの１つ以上を落とすことが、
通信チャネル待ち時間を決定し、
前記通信チャンネル待ち時間が予定された閾値を越えるとき、第1のコード化レートに等しいコード化されたレートを有する前記データフレームの各々を落とし、
前記通信チャンネル待ち時間が第２の予定された閾値を越えるとき、前記第１のコード化レートおよび第２のコード化レートに等しいコード化されたレートを有する前記データフレームの各々を落とすことを含む方法。
【請求項４】  送信器と受信器がそれぞれ暗号方式の安全能力を有するパケットデータ通信システムにおける暗号-同期を達成するための方法において、
受信器でデータフレームを受信し、
前記データフレームを待ち行列の順番で記憶し、
前記記憶されたデータフレームを順番に解読モジュールへ供給し、
予定されたレートで状態ベクトルを増加し、
前記状態ベクトルを前記解読モジュールに供給し、
少なくとも前記状態ベクトルを使用して前記解読モジュールからコードブックを発生させ、前記コードブックは少なくとも１つの前記データフレームを解読するためにあり、
待ち行列におけるデータフレームが限界を越えることを検出し、
前記待ち行列で前記データフレーム１つ以上を落とし、
落とされた前記１つ以上のデータフレームの各々について前記状態ベクトルを調整し、前記状態ベクトルを調整することが、
落とされたデータフレームの数を決定し、
前記落されたフレームの数に比例して前記状態ベクトルを進め、
前記状態ベクトルを進めることが、前記１つ以上の落とされたフレームの各々について１の値だけ前記状態ベクトルを調整することを含む方法。
【請求項５】  送信器と受信器がそれぞれ暗号方式の安全能力を有するパケットデータ通信システムにおける暗号-同期を達成するための方法において、
受信器でデータフレームを受信し、
前記データフレームを待ち行列の順番で記憶し、
前記記憶されたデータフレームを順番に解読モジュールへ供給し、
予定されたレートで状態ベクトルを増加し、
前記状態ベクトルを前記解読モジュールに供給し、
少なくとも前記状態ベクトルを使用して前記解読モジュールからコードブックを発生させ、前記コードブックは少なくとも１つの前記データフレームを解読するためにあり、
待ち行列におけるデータフレームが限界を越えることを検出し、
前記待ち行列で前記データフレーム１つ以上を落とし、
落とされた前記１つ以上のデータフレームの各々について前記状態ベクトルを調整し、前記データフレームの１つ以上を落とすことが、
通信チャネル待ち時間を決定し、
前記通信チャネル待ち時間に従って前記１つ以上のデータフレームを可変レートで落とし、
前記データフレームの１つ以上を可変レートで落とすことが、
前記通信チャンネル待ち時間が少なくとも１つの予定された閾値以下になるとき前記レートを減少させ、
前記通信チャンネル待ち時間が少なくとも１つの他の予定された閾値を越えるとき前記レートを増加させることを含む方法。
【請求項６】  送信器と受信器がそれぞれ暗号方式の安全能力を有するパケットデータ通信システムにおける暗号-同期を達成するための方法において、
受信器でデータフレームを受信し、
前記データフレームを待ち行列の順番で記憶し、
前記記憶されたデータフレームを順番に解読モジュールへ供給し、
予定されたレートで状態ベクトルを増加し、
前記状態ベクトルを前記解読モジュールに供給し、
少なくとも前記状態ベクトルを使用して前記解読モジュールからコードブックを発生させ、前記コードブックは少なくとも１つの前記データフレームを解読するためにあり、
待ち行列におけるデータフレームが限界を越えることを検出し、
前記待ち行列で前記データフレーム１つ以上を落とし、
落とされた前記１つ以上のデータフレームの各々について前記状態ベクトルを調整し、前記データフレームの１つ以上を落とすことが、
通信チャネル待ち時間を決定し、
前記通信チャネル待ち時間が予定された閾値以下になるとき、第1の予定された固定レートで前記データフレームを落とし、
前記通信チャンネル待ち時間が前記予定された閾値を越えるとき、第２の予定された固定レートで前記データフレームを落とすことを含む方法。
【請求項７】  送信器と受信器がそれぞれ暗号方式の安全能力を有するパケットデータ通信システムにおける暗号-同期を達成するための方法において、
受信器でデータフレームを受信し、
前記データフレームを待ち行列の順番で記憶し、
前記記憶されたデータフレームを順番に解読モジュールへ供給し、
予定されたレートで状態ベクトルを増加し、
前記状態ベクトルを前記解読モジュールに供給し、
少なくとも前記状態ベクトルを使用して前記解読モジュールからコードブックを発生させ、前記コードブックは少なくとも１つの前記データフレームを解読するためにあり、
待ち行列におけるデータフレームが限界を越えることを検出し、
前記待ち行列で前記データフレーム１つ以上を落とし、
落とされた前記１つ以上のデータフレームの各々について前記状態ベクトルを調整し、前記データフレームの１つ以上を落とすことが、
通信チャネル待ち時間を決定し、
前記通信チャンネル待ち時間が予定された閾値を越えるとき、第1のコード化レートに等しいコード化されたレートを有する前記データフレームの各々を落とし、
前記通信チャンネル待ち時間が第２の予定された閾値を越えるとき、前記第１のコード化レートおよび第２のコード化レートに等しいコード化されたレートを有する前記データフレームの１つ以上を落とすことを含む方法。
【請求項８】  送信器と受信器がそれぞれ暗号方式の安全能力を有するパケットデータ通信システムにおける暗号-同期を達成するための方法において、
受信器でデータフレームを受信し、
前記データフレームを待ち行列に記憶し、
前記待ち行列において利用可能であるとき、前記待ち行列から解読モジュールへ前記データフレームの少なくとも１つを供給し、
前記解読モジュールに予定されたレートで増加される状態ベクトルを供給し、
少なくとも前記状態ベクトルを使用して前記解読モジュールからコードブックを発生させ、前記コードブックは少なくとも１つの前記データフレームを解読するためにあり、
データフレームが解読のために前記待ち行列に利用可能でないことを検出し、
データフレームが解読のために前記待ち行列に利用可能でないとき前記状態ベクトルをディスエイブルし、前記状態ベクトルをディスエイブルすることが、
解読のために前記待ち行列に利用可能な前記データフレームが何もないことを決定し、
前記状態ベクトルをディスエイブルし、
前記データフレームの少なくとも１つが解読のために前記待ち行列に利用可能であることを決定し、
前記状態ベクトルをエネーブルし、
前記状態ベクトルを１の値だけ増加することを含む方法。
【請求項９】  送信器と受信器がそれぞれ暗号方式の安全能力を有するパケットデータ通信システムにおける暗号-同期を達成する送信器において、
予定されたレートでデータフレームを発生させる手段と、  
前記予定されたレートで増加される状態ベクトル発生させる手段と、
少なくとも前記状態ベクトルから、前記データフレームの少なくとも１つを暗号化するコードブックを発生させるように適用された暗号化モジュールと、
前記データフレームの送信における遅れを検出し、前記データフレームの１つ以上を落し、落された前記データフレームの各々について前記状態ベクトルをディスエイブルするように適用され、前記データフレームが可変レートで落とされるプロセッサとを含み、
前記プロセッサはさらに通信チャネル待ち時間を決定し、
前記通信チャネル待ち時間が少なくとも１つの予定された閾値を越えるとき、前記データフレームが減少されたレートで落とされ、
前記通信チャネル待ち時間が少なくとも１つの他の予定された閾値以下になるとき、前記データフレームが増加されたレートで落とされる送信器。
【請求項１０】  送信器と受信器がそれぞれ暗号方式の安全能力を有するパケットデータ通信システムにおける暗号-同期を達成する送信器において、
予定されたレートでデータフレームを発生させる手段と、  
前記予定されたレートで増加される状態ベクトル発生させる手段と、
少なくとも前記状態ベクトルから、前記データフレームの少なくとも１つを暗号化するコードブックを発生させるように適用された暗号化モジュールと、
前記データフレームの送信における遅れを検出し、前記データフレームの１つ以上を落し、落された前記データフレームの各々について前記状態ベクトルをディスエイブルするように適用され、さらに通信チャネル待ち時間を決定し、前記通信チャネル待ち時間が予定された閾値を越えるとき、第1のコード化レートに等しいコード化されたレートを有する前記データフレームの各々を落とすプロセッサとを含み、
前記プロセッサはさらに、前記通信チャネル待ち時間が第２の予定された閾値を越えるとき、第1のコード化レートおよび第２のコード化レートに等しいコード化されたレートを有する前記データフレームの各々を落とす送信器。
【請求項１１】  送信器と受信器がそれぞれ暗号方式の安全能力を有するパケットデータ通信システムにおける暗号-同期を達成する受信器において、
データフレームを受信する手段と、
前記データフレームを記憶するように適用された待ち行列と、
予定されたレートで増加される状態ベクトル発生させる手段と、
少なくとも前記状態ベクトルから、前記データフレームの少なくとも１つを解読するコードブックを発生させるように適用された解読モジュールと、
前記データフレームの解読における遅れを検出し、前記待ち行列における前記データフレームの１つ以上を落とし、落とされた前記データフレームの各々について前記状態ベクトルを調整するように適用されたプロセッサとを含み、
前記プロセッサは落とされたデータフレームの数を決定し、前記落とされたデータフレームの数に比例して前記状態ベクトルを調整することにより、前記状態ベクトルを調整し、
前記状態ベクトルは前記落とされたデータフレームの各々について１の値だけ進められる受信器。
【請求項１２】  送信器と受信器がそれぞれ暗号方式の安全能力を有するパケットデータ通信システムにおける暗号-同期を達成する受信器において、
データフレームを受信する手段と、
前記データフレームを記憶するように適用された待ち行列と、
予定されたレートで増加される状態ベクトル発生させる手段と、
少なくとも前記状態ベクトルから、前記データフレームの少なくとも１つを解読するコードブックを発生させるように適用された解読モジュールと、
前記データフレームの解読における遅れを検出し、前記待ち行列における前記データフレームの１つ以上を落とし、落とされた前記データフレームの各々について前記状態ベクトルを調整するように適用されたプロセッサとを含み、
前記プロセッサはさらに通信チャネル待ち時間を決定し、前記通信チャネル待ち時間に従って可変レートで前記１つ以上のデータフレームを落とし、
前記プロセッサは、前記通信チャネル待ち時間が少なくとも１つの予定された閾値以下になるとき、前記レートを減少し、
前記通信チャネル待ち時間が少なくとも１つの他の予定された閾値を越えるとき、前記レートを増加する受信器。
【請求項１３】  送信器と受信器がそれぞれ暗号方式の安全能力を有するパケットデータ通信システムにおける暗号-同期を達成する受信器において、
データフレームを受信する手段と、
前記データフレームを記憶するように適用された待ち行列と、
予定されたレートで増加される状態ベクトル発生させる手段と、
少なくとも前記状態ベクトルから、前記データフレームの少なくとも１つを解読するコードブックを発生させるように適用された解読モジュールと、
前記データフレームの解読における遅れを検出し、前記待ち行列における前記データフレームの１つ以上を落とし、落とされた前記データフレームの各々について前記状態ベクトルを調整するように適用されたプロセッサとを含み、
前記プロセッサはさらに通信チャネル待ち時間を決定し、
前記通信チャネル待ち時間が予定された閾値以下になるとき、第１の予定された固定レートで前記１つ以上のデータフレームを落とし、
前記通信チャネル待ち時間が前記予定された閾値を越えるとき、第２の予定された固定レートで前記１つ以上のデータフレームを落とす受信器。
【請求項１４】  送信器と受信器がそれぞれ暗号方式の安全能力を有するパケットデータ通信システムにおける暗号-同期を達成する受信器において、
データフレームを受信する手段と、
前記データフレームを記憶するように適用された待ち行列と、
予定されたレートで増加される状態ベクトル発生させる手段と、
少なくとも前記状態ベクトルから、前記データフレームの少なくとも１つを解読するコードブックを発生させるように適用された解読モジュールと、
前記データフレームの解読における遅れを検出し、前記待ち行列における前記データフレームの１つ以上を落とし、落とされた前記データフレームの各々について前記状態ベクトルを調整するように適用されたプロセッサとを含み、
前記プロセッサはさらに通信チャネル待ち時間を決定し、
前記通信チャネル待ち時間が予定された閾値を越えるとき、第１のコード化レートに等しいコード化されたレートを有する前記１つ以上のデータフレームの各々を落とし、
前記通信チャネル待ち時間が第２の予定された閾値を越えるとき、前記第１のコード化レートおよび第２のコード化レートに等しいコード化されたレートを有する前記１つ以上のデータフレームを落とす受信器。